(57)【特許請求の範囲】
【請求項１】
容器を上方に取り出し自在とした有底筒状のホルダーと、該ホルダーの側面に形成されてなる開口に臨まれ且つ前記容器の周壁に圧接する方向に付勢手段により常時付勢されてなる当接部材とより少なくとも構成されてなる容器保持装置であって、
前記当接部材は、前記容器の周壁に横方向から当接可能なる抑止部と、前記ホルダーに固持されてなるケースに形成されてなる回転中心軸に軸支されて上下方向或いは前記開口からの出没方向に当接部材を案内可能なるガイド部と、前記ホルダーの収納部内に容器が収納されていない状態で前記ホルダーの側面に当接し、容器を取り出す力で前記ホルダーの側面を摺動可能且つ容器を挿入する力で前記付勢手段に抗して前記ホルダーの側面から離脱可能なる下部摺動部とより構成されてなり、
容器を取り出す力で前記ガイド部が前記回転中心軸に対してスライドして前記当接部材が没することを特徴とする容器保持装置。
【請求項２】
請求項１記載の容器保持装置であって、
前記抑止部は、前記容器の周壁を少ない面積で保持可能なるよう略山状に形成されてなり、該抑止部の上部案内面及び下部案内面は、共になだらかに落ち込む裾野状に形成してなることを特徴とする容器保持装置。
【請求項３】
請求項１又は請求項２記載の容器保持装置であって、
前記ガイド部は、前記ホルダーの収納部内に容器が収納されていない状態及び収納され終わった状態で共に斜め方向にあり、前記ホルダーの収納部から容器が抜ける寸前には容器の周方向にあるように、途中で曲折してなることを特徴とする容器保持装置。
【発明の詳細な説明】
【技術分野】
【０００１】
本発明は、自動車、航空機、船舶、車両などの乗り物或いは屋内で使用される家具などに取り付けられて、缶、コップ、ペットボトル等の容器を倒れないように保持する容器保持装置に関するものである。
【背景技術】
【０００２】
従来の容器保持装置としては、例えば、当接部材を容器の周囲（周壁とも言う）に当接して、該容器の径方向（横方向とも言う）の動きを拘束するものであって、前から後に行くに従って次第に下方へそれぞれ延び且つ異形状の第１ガイド溝及び第２ガイド溝を側面に形成しているケースと、第１軸部及び第２軸部を有し、第１軸部を第１ガイド溝に嵌合し、第２軸部を第２ガイド溝に遊嵌した状態でケースに対し摺動可能且つ下から上向きの負荷を受けた時にケースからの突出量を減じる方向へ回転可能に組み付けられている当接部材と、該当接部材をケースより突出する方向へ付勢し且つ回転された当接部材を初期状態に復帰する方向へ付勢する付勢部材とを備えている（先行技術文献１）ものが、従来技術として知られている。
【先行技術文献】
【特許文献】
【０００３】
【特許文献１】特開２００６−００１４２８号公報
【発明の概要】
【発明が解決しようとする課題】
【０００４】
しかしながら、かかる従来技術は、容器を容器保持装置に支持させる際、挿入する容器によって当接部材は容器に押され、前側から後ろ側に行くに従い、次第に下方へ平行移動していくことになるので、容器の外形によっては、容器を保持する位置が下がってしまい、容器収納時の保持性を維持することができない恐れがある。これは、換言すると、容器がかかる容器保持装置の動きにより転倒する恐れがある、ということである。また、容器保持装置に支持した状態の容器を取り出す際に、当接部材が容器の取り出し方向に回転する設定になっているので、回転するに従い、当接部材の下端が前に突き出て、容器に引っかかる恐れがあり、場合によっては容器保持装置から容器が抜けなくなる恐れがある。
【０００５】
上記の課題を解決するために、本発明は、容器の確実なる支持、つまり、容器の転倒防止と、容器に保持手段の部材が引っかかる恐れのない容器保持装置を提供するものである。
【課題を解決するための手段】
【０００６】
上記の課題を解決するために、本発明の請求項１記載の容器保持装置は、容器を上方に取り出し自在とした有底筒状のホルダーと、該ホルダーの側面に形成されてなる開口に臨まれ且つ前記容器の周壁に圧接する方向に付勢手段により常時付勢されてなる当接部材とより少なくとも構成されてなる容器保持装置であって、前記当接部材は、前記容器の周壁に横方向から当接可能なる抑止部と、前記ホルダーに固持されてなるケースに形成されてなる回転中心軸に軸支されて上下方向或いは前記開口からの出没方向に当接部材を案内可能なるガイド部と、前記ホルダーの収納部内に容器が収納されていない状態で前記ホルダーの側面に当接し、容器を取り出す力で前記ホルダーの側面を摺動可能且つ容器を挿入する力で前記付勢手段に抗して前記ホルダーの側面から離脱可能なる下部摺動部とより構成されてなり、容器を取り出す力で前記ガイド部が前記回転中心軸に対してスライドして前記当接部材が没することを特徴とする。
【０００７】
また、本発明の請求項２記載の容器保持装置は、請求項１記載の前記抑止部は、前記容器の周壁を少ない面積で保持可能なるよう略山状に形成されてなり、該抑止部の上部案内面及び下部案内面は、共になだらかに落ち込む裾野状に形成してなることを特徴とする。
【０００８】
また、本発明の請求項３記載の容器保持装置は、請求項１又は請求項２記載の前記ガイド部は、前記ホルダーの収納部内に容器が収納されていない状態及び収納され終わった状態で共に斜め方向にあり、前記ホルダーの収納部から容器が抜ける寸前には容器の周方向にあるように、途中で曲折してなることを特徴とする。
【発明の効果】
【０００９】
請求項１記載の発明によれば、容器を上方に取り出し自在とした有底筒状のホルダーと、該ホルダーの側面に形成されてなる開口に臨まれ且つ前記容器の周壁に圧接する方向に常時付勢されてなる当接部材とより少なくとも構成されてなる容器保持装置であって、前記当接部材は、前記容器の周壁に横方向から当接可能なる抑止部と、前記ホルダーに固持されてなるケースに形成されてなる回転中心軸に軸支されて上下方向或いは前記開口からの出没方向に当接部材を案内可能なるガイド部と、前記付勢手段により付勢されても前記ホルダーの側面によって保持され且つ容器を挿入する力で前記付勢手段に抗して前記ホルダーの側面から離脱可能なる下部摺動部とより構成されてなるため、容器をホルダー内に押し込むと、ホルダー内の容器は、当接部材によって確実に容器の周方向から周壁を押圧して、容器の確実なる支持、つまり、容器の転倒が確実に防止される。また、容器をホルダーから取り出そうとすると、当接部材に容器が引っかかる恐れがなく、スムーズな出し入れが可能となる、などの効果を奏する。
【００１０】
また、請求項２記載の発明によれば、前記抑止部は、前記容器の周壁を少ない面積で保持可能なるよう略山状に形成されてなり、該抑止部の上部案内面及び下部案内面は、共になだらかに落ち込む裾野状に形成してなるため、前記当接部材の抑止部から上部案内面或いは下部案内面にスムーズに移動することができる、という効果を奏する。
【００１１】
また、請求項３記載の発明によれば、前記ガイド部は、前記ホルダーの収納部内に容器が収納されていない状態及び収納され終わった状態で共に斜め方向にあり、前記ホルダーの収納部から容器が抜ける寸前には容器の周方向にあるように、途中で曲折してなるため、前記ガイド部に軸支されてなる回転中心軸がスムーズに移動してなることで、当接部材はホルダーの側面から簡易に出没できる、という効果を奏する。
【図面の簡単な説明】
【００１２】
【図１】本発明の実施例１に係る容器保持装置の斜視図。
【図２】図１のＳＡ−ＳＡ線に沿う断面図。
【図３】図１の容器保持装置の分解斜視図。
【図４】容器を図１乃至図３のホルダーに押し込む寸前の状態の図２相当断面図。
【図５】図４の容器でもって当接部材が下側にずれた状態を示す図２相当断面図。
【図６】図５の容器がホルダー内に完全に収納した状態を示す図２相当断面図。
【図７】図６に示す状態の容器を持ち上げたことで、当接部材が上側にずれた状態を示す図２相当断面図。
【図８】図６の容器がホルダーから抜ける寸前の状態の図２相当断面図。
【図９】図８から容器がホルダーから完全に抜けた状態を示す図２相当断面図。
【発明を実施するための形態】
【００１３】
以下、本発明の実施の形態について、詳細に説明する。本発明において、容器の確実なる支持、つまり、容器の転倒防止と、容器に保持手段の部材が引っかかる恐れのない容器保持装置を提供するという目的を、容器を上方に取り出し自在とした有底筒状のホルダーと、該ホルダーの側面に形成されてなる開口に臨まれ且つ前記容器の周壁に圧接する方向に常時付勢されてなる当接部材とより少なくとも構成されてなる容器保持装置であって、前記当接部材は、前記容器の周壁に横方向から当接可能なる抑止部と、前記ホルダーに固持されてなるケースに形成されてなる回転中心軸に軸支されて上下方向或いは前記開口からの出没方向に当接部材を案内可能なるガイド部と、前記付勢手段により付勢されても前記ホルダーの側面によって保持され且つ容器を挿入する力で前記付勢手段に抗して前記ホルダーの側面から離脱可能なる下部摺動部とより構成されてなることで、実現した。以下、本発明の実施例を図面に基づいて説明する。
【実施例１】
【００１４】
本発明の実施例１に係る構造を、図１〜図９を用いて説明する。乗り物の一例として自動車のインストルメントパネル或いはセンターコンソールボックスに配されてなる乗り物用容器保持装置１は、円筒状のジュースなどの容器６を上方（図面上上側）に取り出し自在とした有底筒状のホルダー２と、該ホルダー２の側面２ａに形成されてなる開口２ｃに臨まれ且つ前記容器６の周壁６ａに圧接する方向にコイル状スプリングなどの付勢手段５により常時付勢されてなる当接部材４とより少なくとも構成されてなる。ここで、「少なくとも」としたのは、ホルダー２の収納部２ｄに蓋を設けるとか、他の例でも良いからである。
【００１５】
前記当接部材４は、図２に示すように、ひらがなのくの字状をなし、図３に示すように、後述する抑止部４ａを中心に前記ホルダー２側に所定の面積の辺が形成されてなり、前記ホルダー２から離れる方向はフランジ状に形成されてなる。前記当接部材４は、前記容器６の周壁６ａに横方向から当接可能なるよう山の頂上のような所定の面積を有する形態で形成された抑止部４ａと、前記ホルダー２の上下に形成されてなる第１係合部３ｃ及び第２係合部３ｄに係合支持されてなる第１突起２ｅ及び第２突起２ｆにより固持されてなるケース３に形成されてなる「回転中心軸」である第１ピン３ｅに軸支されて上下方向或いは前記開口２ｃからの出没方向に当接部材４を案内可能なるガイド部４ｄと、前記付勢手段５により付勢されても前記ホルダー２の側面２ａによって保持され且つ容器６を挿入する力で前記付勢手段５に抗して前記ホルダー２の側面２ａから離脱可能なる下部摺動部４ｆとより構成されてなる。符号４ｂは、前記抑止部４ａの上側の辺より斜め状に持ち上がる上部案内面であり、符号４ｃは、前記抑止部４ａの下側の辺より斜め状に下がる下部案内面である。符号４ｅは、前記当接部材４のフランジ４ｇ、４ｇ間を架橋した第２ピンである。前記ガイド部４ｄは、前記当接部材４のフランジ４ｇ、４ｇに左右対称に形成された長孔である。
【００１６】
前記ガイド部４ｄは、前記ホルダー２の収納部２ｄ内に容器６が収納されていない状態及び収納され終わった状態で、図４、図６に示すように、共に斜め方向にあり、前記ホルダー２の収納部２ｄから容器６が、図７に示すように、抜ける寸前には、容器６の周方向、即ち横方向にあるように、途中で曲折してなる。
【００１７】
符号２ｂは、前記ホルダ−２の収納部２ｄの上端に形成されてなるフランジであり、収納部２ｄの上端から外側に水平状に形成され、そこから斜め上に開いている。符号２ｇは、ホルダー２の底面である。符号２ｈは、前記ホルダ−２に形成されてなる係合部である。
【００１８】
前記ケース３は、第１開口３ａ及び第２開口３ｂにより、カタカナのロの形をしたダクトに形成されてなる。符号３ｆは、第１開口３ａ側の上下中央に架橋されてなる第２ピンである。符号３ｇ、３ｇは、前記ケース３の両サイドに形成されてなる係合爪であり、前記係合部２ｈに係合支持されてなる。
【００１９】
従って、本実施例１によれば、図９の状態、即ち、ホルダー２の収納部２ｄに容器６が無い状態から、図４に示すように、容器６をホルダー２内、即ち、ホルダー２の収納部２ｄに押し込むと、ホルダー２内の容器６は、当接部材４の上部案内面４ｂに荷重Ｆ１’が加わり、反力Ｆ２が発生するが、モーメントが加わり、回転中心軸３ｅを中心に図５の矢印で示すように、時計方向に回転して容器６はホルダー２内に入り込む。このとき、第２ピン４ｅも付勢手段５に抗して時計方向に移動するので、付勢手段５の付勢力によって確実に容器６の周方向から周壁６ａを押圧して、容器６の確実なる支持、つまり、容器６の転倒が確実に防止された状態で、図６に示すように、保持される。一旦、図５に示すように、ホルダー２の側面２ａから離れた下部摺動部４ｆは、図６に示すように、ホルダー２の側面２ａに当接する。
【００２０】
また、図６に示す状態の容器６をホルダー２から取り出そうと持ち上げると、図７に示すように、当接部材４の下部案内面４ｃに当たるが、斜面状なので、容器６が当接部材４に引っかかる恐れがなく、下部案内面４ｃに加わった荷重により、図７から図８に示すように、回転中心軸３ｅに対してガイド部４ｅがスライドし、ホルダー２の収納部２ｄから当接部材４が没する。こうして、容器６がホルダー２からスムーズな出し入れが可能となる、などの効果を奏する。
【００２１】
また、前記抑止部４ａは、前記容器６の周壁６ａを少ない面積で保持可能なるよう略山状に形成されてなり、該抑止部４ａの上部案内面４ｂ及び下部案内面４ｃは、共に山の頂上からなだらかに落ち込む裾野状に形成してなるため、前記当接部材４の抑止部４ａから上部案内面４ｂ或いは下部案内面４ｃにスムーズに移動することができる、という効果を奏する。
【００２２】
また、前記ガイド部４ｄは、前記ホルダー２の収納部２ｄ内に容器６が収納されていない状態及び収納され終わった状態で共に斜め方向にあり、前記ホルダー２の収納部２ｄから容器６が抜ける寸前には容器６の周方向にあるように、途中で曲折してなるため、前記ガイド部４ｄに軸支されてなる回転中心軸３ｅがスムーズに移動してなることで、当接部材４はホルダー２の側面２ａから簡易に出没できる、という効果を奏する。
【産業上の利用可能性】
【００２３】
前記実施例１では、自動車のインストルメントパネル或いはセンターコンソールボックスに配されてなることを例にして説明したが、これに限定せず、飛行機や船舶、車両などの乗り物、或いは日用品や家具等でも良い。
【符号の説明】
【００２４】
１  乗り物用容器保持装置（容器保持装置）
２  ホルダー
２ａ  ホルダーの側面
２ｃ  ホルダーの開口
２ｄ  ホルダーの収納部
３  ケース
３ｅ  ケースの回転中心軸
４  当接部材
４ａ  当接部材の抑止部
４ｂ  当接部材の上部案内面
４ｃ  当接部材の下部案内面
４ｄ  当接部材のガイド部
４ｆ  当接部材の下部摺動部
５  付勢手段
６  容器
６ａ  容器の周壁
【図１】
0005872870.tif 000002
【図２】
0005872870.tif 000003
【図３】
0005872870.tif 000004
【図４】
0005872870.tif 000005
【図５】
0005872870.tif 000006
【図６】
0005872870.tif 000007
【図７】
0005872870.tif 000008
【図８】
0005872870.tif 000009
【図９】
0005872870.tif 000010